(57)【特許請求の範囲】
【請求項１】
部屋の出入口を開閉するドアに設けられ、このドアの施解錠状態を表示するドア施解錠表示装置であって、
前記ドアの室外側を向く面に固定される外殻部と、
この外殻部に設けられた孔に、前記外殻部の先端面から出没可能に挿入され、前記ドアの室内側を向く面に設けられたサムターンを回して施錠したときに突出するとともに、非常時に軸回りに回転させることにより前記ドアを解錠し、かつ、前記サムターンを回して解錠したときに没する表示部材とを備えており、
前記表示部材の先端面に、該表示部材の回転中心を通り、かつ端部が前記表示部材の外周面に開口する凹溝が設けられ、
前記凹溝の対向する面のうち一方の面に、緑または青色が施されており、
解錠状態のとき、前記表示部材はその凹溝が上下に向いた状態で没しており、
前記サムターンを回して施錠したときに、前記表示部材が回転しながら突出して前記一方の面が上に位置することを特徴とするドア施解錠表示装置。
【請求項２】
請求項１に記載のドア施解錠表示装置において、
前記表示部材の先端部外周面に、注意を喚起する色が施されていることを特徴とするドア施解錠表示装置。
【請求項３】
請求項１または２に記載のドア施解錠表示装置において、
前記表示部材の先端部外周面が発光可能となっていることを特徴とするドア施解錠表示装置。
【請求項４】
請求項１〜３のいずれか一項に記載のドア施解錠表示装置において、
前記外殻部に設けられた孔の先端部内周面に、緑または青色が施されており、
解錠状態のとき、前記表示部材が前記外殻部の先端面より深い位置まで没していることを特徴とするドア施解錠表示装置。
【請求項５】
請求項１〜４のいずれか一項に記載のドア施解錠表示装置において、
前記表示部材の先端部外周面に、滑り止め用の凹凸が形成されていることを特徴とするドア施解錠表示装置。
【発明の詳細な説明】
【技術分野】
【０００１】
本発明は、部屋の出入口を開閉するドアに設けられ、このドアの施解錠状態を表示するドア施解錠表示装置に関する。
【背景技術】
【０００２】
ドアの施解錠状態を表示するドア施解錠表示装置の一例として特許文献１に記載のものが知られている。このドア施解錠表示装置は、ドアの施錠状態を触覚により識別するための識別手段を備えており、この識別手段が、貫通孔を有する本体と、当該本体に収容され前記貫通孔を通過して前記本体から出没可能な少なくとも一つの突起を有する突起体により構成され、施錠するときに前記突起体を初期位置から移動させて前記突起の一部または全部を前記本体から突出させ、施錠を解除するときに前記突起体を初期位置へ移動させて前記突起を前記本体内に収容する突起体移動機構を備えたものである。
【先行技術文献】
【特許文献】
【０００３】
【特許文献１】特開２００６−１７７１０９号公報
【発明の概要】
【発明が解決しようとする課題】
【０００４】
ところで、上記従来のドア施解錠表示装置では、突起が本体から突出することによってドアが施錠されていることを表示できるが、非常時にドアを外側から解錠できない。一方、ドアの施錠を非常時に外側から解錠できるようにした錠装置もあるが、このような錠装置とドア施解錠表示装置とは別体であるため、これら双方をドアに取り付ける必要があり、手間がかかりコスト高になるという問題があった。
【０００５】
本発明は上記事情に鑑みてなされたもので、ドアの施錠を非常時に外側から解錠できるとともにドアの施解錠状態を表示できるドア施解錠表示装置を提供することを課題としている。
【課題を解決するための手段】
【０００６】
上記課題を解決するために、請求項１に記載の発明は、例えば図１〜図４に示すように、部屋の出入口を開閉するドア６に設けられ、このドア６の施解錠状態を表示するドア施解錠表示装置１であって、
前記ドア６の室外側を向く面６ａに固定される外殻部２と、
この外殻部２に設けられた孔３に、前記外殻部２の先端面４から出没可能に挿入され、前記ドア６の室内側を向く面６ｂに設けられたサムターン２１を回して施錠したときに突出するとともに、非常時に軸回りに回転させることにより前記ドア６を解錠し、かつ、前記サムターン２１を回して解錠したときに没する表示部材５とを備えており、
前記表示部材５の先端面５ａに、該表示部材５の回転中心を通り、かつ端部が前記表示部材５の外周面に開口する凹溝５ｂが設けられ、
前記凹溝５ｂの対向する面のうち一方の面５ｃに、緑または青色が施されており、
解錠状態のとき、前記表示部材５はその凹溝５ｂが上下に向いた状態で没しており、
前記サムターン２１を回して施錠したときに、前記表示部材５が回転しながら突出して前記一方の面５ｃが上に位置することを特徴とする。
【０００７】
請求項１に記載の発明によれば、表示部材５が外殻部２の先端面４から突出することによって、ドア６の施錠状態を表示でき、表示部材５が外殻部２の先端面４から没することによって、ドア６の解錠状態を表示できるので、ドア６の施解錠状態を確実に表示できる。
また、ドア６の施錠状態において非常時には、突出している表示部材５を軸回りに回転させることによって、ドア６を外側から解錠できる。
また、施錠状態において表示部材５が外殻部２の先端面４から突出しており、非常時に、突出している表示部材５を軸回りに回転させることによって、ドア６を外側から解錠する際に、表示部材５の先端面５ａに形成された凹溝５ｂに、コインやドライバ、その他板状部材等を係合して回すことによって、表示部材５を容易に回転させることができる。
また、ドアの解錠状態においては、表示部材５の凹溝５ｂが上下に向いているので、この凹溝５ｂの一方の面５ｃに施された緑または青色を容易に視認できる。一方、ドアの施錠状態においては、表示部材５が回転しながら突出して凹溝５ｂの一方の面５ｃが上に位置するので、この面５ｃに施された緑または青色が見え難くなるとともに、表示部材５が突出するので、施錠状態であることを確認できる。
【０００８】
請求項２に記載の発明は、請求項１に記載のドア施解錠表示装置において、
前記表示部材５の先端部外周面に、注意を喚起する色が施されていることを特徴とする。
ここで、注意を喚起する色としては、例えば黄色、赤色が挙げられるが、これに限るものではない。例えば、表示部材５の先端面や外殻部２の表面の色と補色の関係にある色や、明度や彩度の異なる色を採用してもよい。
【０００９】
請求項２に記載の発明によれば、施錠状態において表示部材５が外殻部２の先端面４から突出しているが、この表示部材５の先端部外周面に注意を喚起する色が施されているので、突出した表示部材５の先端部外周面の色が目立ち、よって、施錠状態を確実に確認できる。
【００１０】
請求項３に記載の発明は、例えば図６に示すように、請求項１または２に記載のドア施解錠表示装置において、
前記表示部材５の先端部外周面が発光可能となっていることを特徴とする。
【００１１】
ここで、表示部材５の先端部外周面を発光可能とするには、例えば、表示部材５の先端部外周面に蓄光テープを貼り付けたり、表示部材５の外周面に取付溝５ｄを形成して、この取付溝５ｄにＬＥＤ（発光ダイオード）３５や豆電球を挿入してもよい。蓄光テープを使用する場合、例えば、蓄光された光を、比較的長時間（例えば６〜８時間）に亙って放射し続ける高輝度蓄光テープを使用するのが望ましい。
【００１２】
請求項３に記載の発明によれば、施錠状態において表示部材５が外殻部２の先端面４から突出するが、この表示部材５の先端部外周面が発光可能となっているので、夜等においても、ドアの施錠状態を確実に確認できる。
【００１３】
請求項４に記載の発明は、請求項１〜３のいずれか一項に記載のドア施解錠表示装置において、
前記外殻部２に設けられた孔３の先端部内周面に、緑または青色が施されており、
解錠状態のとき、前記表示部材５が前記外殻部２の先端面４より深い位置まで没していることを特徴とする。
【００１４】
請求項４に記載の発明によれば、解錠状態のとき、表示部材５が外殻部２の先端面４より深い位置まで没しているので、外殻部２に設けられた孔３の先端部内周面に施された緑または青色を視認できる。したがって、解錠状態であることを容易に確認できる。
【００１９】
請求項５に記載の発明は、例えば図７に示すように、請求項１〜４のいずれか一項に記載のドア施解錠表示装置において、
前記表示部材５の外周面に、滑り止め用の凹凸５ｅが形成されていることを特徴とする。
【００２０】
請求項５に記載の発明によれば、施錠状態において表示部材５が外殻部２の先端面４から突出しており、非常時に、突出している表示部材５を掴んで軸回りに回す際に、表示部材５の外周面に形成された滑り止め用の凹凸５ｅによって、表示部材５を滑ることなく確実に掴んで回すことができる。
【発明の効果】
【００２１】
本発明によれば、ドアの室外側を向く面に固定される外殻部に設けられた孔に、外殻部の先端面から出没可能に挿入され、ドアの室内側を向く面に設けられたサムターンを回して施錠したときに突出するとともに、非常時に軸回りに回転させることによりドアを解錠し、かつ、サムターンを回して解錠したときに没する表示部材を備えているので、ドアの施解錠状態を確実に表示できるとともに、ドアの施錠状態において非常時には、突出している表示部材を軸回りに回転させることによって、ドアを外側から解錠できる。
【図面の簡単な説明】
【００２２】
【図１】本発明に係るドア施解錠表示装置の一例を示すもので、（ａ）は施錠状態のときの側断面図、（ｂ）は解錠状態のときの側断面図である。
【図２】同、（ａ）は施錠状態のときの斜視図、（ｂ）は解錠状態のときの斜視図である。
【図３】本発明に係るドア施解錠表示装置をドアに取り付け状態を示すもので、（ａ）は施錠状態のときの斜視図、（ｂ）は解錠状態のときの斜視図である。
【図４】本発明に係るドア施解錠表示装置をドアに取り付けた状態を示すもので、（ａ）は施錠状態のときの側断面図、（ｂ）は解錠状態のときの側断面図である。
【図５】本発明に係るドア施解錠表示装置と連動する錠装置を示すもので、（ａ）は施錠状態のときの側断面図、（ｂ）は解錠状態のときの側断面図である。
【図６】本発明に係るドア施解錠表示装置の表示部材の他の例を示す側断面図である。
【図７】本発明に係るドア施解錠表示装置の他の例を示す斜視図である。
【発明を実施するための形態】
【００２３】
以下図面を参照して、本発明に係るドア施解錠表示装置の実施の形態について説明する。
図１および図２は、本実施の形態のドア施解錠表示装置１を示すもので、図１（ａ）はドアの施錠状態のときの断面図、図１（ｂ）はドアの解錠状態のときの断面図、図２（ａ）はドアの施錠状態のときの斜視図、図２（ｂ）はドアの解錠状態のときの斜視図である。
【００２４】
図１および図２に示すように、ドア施解錠表示装置１は、外殻部２と、この外殻部２に設けられた孔３に、外殻部２の先端面４から出没可能に挿入された表示部材５とを備えている。
外殻部２は、図３に示すように、部屋の出入口を開閉するドア６の室外側を向く面６ａに固定されるものであり、図１に示すように、基台部７と、この基台部７に取り付けられるカバー部８とによって構成されている。
基台部７は、ドア６の面６ａに固定される台座７ａと、この台座７ａに立設された円筒部７ｂとから構成されている。台座７ａは円板状のものであり、その中央部に形成された孔に軸受７ｃが固定されている。円筒部７ｂは軸受７ｃより外側に配置されており、この円筒部７ｂの上端面は、円筒部７ｂの軸に対して傾斜する４つの傾斜面９ａを有しており、４つの傾斜面９ａは周方向に沿って山谷となるように配置されている。したがって、円筒部７ｂの上端部は、二つの山部と二つの谷部とが周方向に交互に配置されたような形状となっている。
【００２５】
前記カバー部８は、外円筒部８ａと、この外円筒部８ａの内側に設けられた内円筒部８ｂと、これら外円筒部８ａと内円筒部８ｂとを結合するリング板状の先端円板部８ｃとから一体的に構成されている。
内円筒部８ｂは外円筒部８ａより短くなっており、内円筒部８ｂの内径および外径は、前記基台部７の円筒部７ｂの内径および外径と等しくなっている。
内円筒部８ｂの端面（図１において右端面）は、２つの傾斜面９ｂ，９ｂと、この傾斜面９ｂ，９ｂより先端円板部８ｃ側に切り込んで形成された２つの傾斜面９ｃ，９ｃとを有しており、４つの傾斜面９ｂ，９ｃ，９ｂ，９ｃは周方向に沿って山谷となるように配置されている。したがって、内円筒部８ｂの端部は、二つの山部と二つの谷部とが周方向に交互に配置されたような形状でかつ、傾斜面９ｂと傾斜面９ｃとの間に段差部が設けられた形状となっている。
【００２６】
そして、前記内円筒部８ｂの直径方向に対向している二つの傾斜面９ｂ，９ｂと、前記円筒部７ｂの４つの傾斜面９ａのうち直径方向に対向している２つの傾斜面９ａ，９ａとが付き合わされ、内円筒部８ｂの直径方向に対向している二つの傾斜面９ｃ，９ｃと、前記円筒部７ｂの直径方向に対向している残りの傾斜面９ａ，９ａとが平行離間している。この傾斜面９ｃと傾斜面９ａとの間がスリット状のカム溝１０となっている。つまり、内円筒部８ｂには２つのカム溝１０，１０が設けられ、該カム溝１０は内円筒部８ｂの下端面から内円筒部８ｂの軸方向と傾斜するように、かつ、内円筒部８ｂの周方向に９０°分だけ延びて形成されている。また、２つのカム溝１０，１０は内円筒部８ｂの軸に対して対称的に配置されている。
【００２７】
前記表示部材５は先端面５ａが閉塞された円筒状のものであり、その外径は、前記内円筒部８ｂの内径とほぼ等しいか若干小さくなっている。したがって、表示部材５は軸回りに回転可能にかつ軸方向に移動可能に内円筒部８ｂに挿入されている。表示部材５の外周面には、カム部１１，１１が突設されている。カム部１１，１１は表示部材５の直径方向に対向して設けられており、該カム部１１，１１が前記カム溝１０，１０にその延在方向に摺動可能に係合している。
そして、図１（ａ）に示すように、カム部１１がカム溝１０の一方の端部（頂部）に位置しているときに、表示部材５はカバー部８の先端面、つまり外殻部２の先端面４から最も突出し、図１（ｂ）に示すように、カム部１１がカム溝１０の他方の端部に位置しているときに、表示部材５はカバー部８の先端面、つまり外殻部２の先端面４より最も深い位置まで没している。
また、表示部材５を軸回りに回転させることによって、カム部１１がカム溝１０に沿って移動し、これに伴って、表示部材５は回転しながら外殻部２の先端面４から出没するようになっている。つまり、表示部材５をその最も没している位置から軸回りに９０°回転させることによって、表示部材５は回転しながら、外殻部２の先端面４から最も突出し、この位置から表示部材５を軸回りに反対方向に９０°回転させることによって、表示部材５は逆方向に回転しながら、外殻部２の先端面４から最も没するようになっている。
【００２８】
また、表示部材５の先端部外周面には、黄色が施されている。つまり、外殻部２の先端面４から突出している表示部材５の外周面には、黄色が施されている。黄色は、表示部材５の先端部外周面に黄色のペンキを塗布したり、黄色のテープを接着することによって施されている。
さらに、表示部材５の先端面５ａには、該表示部材５の先端面５ａの回転中心を通り、かつ端部が表示部材５の外周面に開口する凹溝５ｂが設けられている。この凹溝５ｂにコインやドライバー、あるいは板状部材を係合して回すことによって、表示部材５を容易に回転させることができる。
また、図２に示すように、前記凹溝５ｂの対向する面のうち一方の面５ｃに、緑または青色が施されており、図２（ｂ）に示す解錠状態のとき、表示部材５はその凹溝５ｂが上下に向いた状態で没しており、後述するサムターン２１を回して施錠したときに、図２（ａ）に示すように、表示部材５が回転しながら突出して一方の面５ｃが上に位置するようになっている。
また、図１（ｂ）および図２（ｂ）に示すように、外殻部２に設けられた孔３の先端部内周面には、緑または青色が施されており、解錠状態のとき、表示部材５が外殻部２の先端面４より深い位置まで没し、これによって、孔３の先端部内周面に施された、緑または青色が露出するようになっている。
【００２９】
また、図１に示すように、表示部材５の内周面には、軸方向に延在する２つのキー溝１２，１２が径方向に対向して形成されている。
一方、表示部材５の内部には回転軸１３が軸方向に摺動可能に挿入されており、この回転軸１３の外周面に設けられたキー１４，１４が前記キー溝１２，１２に軸方向に摺動可能に係合している。
したがって、回転軸１３の回転とともに表示部材５が回転しながら、軸方向に移動するようになっている。つまり、表示部材５に設けられたカム部１１，１１が内円筒部８ｂに設けられたカム溝１０，１０内を移動することによって、表示部材５は回転しながら軸方向に移動するようになっている。
また、回転軸１３の端面には、正方形状の孔１３ａが形成されている。
【００３０】
上記のような構成のドア施解錠表示装置１は、図４に示すように、ドア６の室外側を向く面６ａに取り付けられている。すなわち、ドア施解錠表示装置１の台座７ａが面６ａに当接されたうえで、台座７ａにボルト１７，１７を挿通するとともに、ドア６を貫通してサムターン取付台座２０にねじ込むことによって、取り付け固定されている。
なお、ボルト１７，１７は、後述する錠装置２５を貫通しないようにしてドア６に挿通されている。つまり、台座７ａの直径は、錠装置２５の高さより大きくなっており、錠装置２５を挟むようにして、ボルト１７，１７が配置されてドア６に挿通されている。
【００３１】
サムターン取付台座２０は、略台形円板状のものであり、その中央部には貫通孔２０ａが形成されている。サムターン取付台座２０の上面には、サムターン２１が軸回りに回転可能に設けられており、このサムターン２１の回転軸２２が前記貫通孔２０ａに軸受２０ｂを介して軸回りに回転可能に挿通されている。回転軸２２は前記ドア施解錠表示装置１の回転軸１３と同軸に配置されており、この回転軸２２の端面には正方形状の孔２２ａが形成されている。
前記ドア６には、断面正方形状の連結軸２３が挿通されており、この連結軸２３の一方の端部は回転軸１３の孔１３ａに嵌合されており、連結軸２３の他方の端部は回転軸２２の孔２２ａに嵌合されている。
したがって、サムターン２１を回すことによって、連結軸２３が回転し、この連結軸２３の回転によって回転軸１３が回転する。回転軸１３が回転することによって、前記表示部材５が回転しながらその軸方向に移動して外殻部２の先端面４から出没するようになっている。
つまり、図４（ａ）に示すように、サムターン２１を回して施錠したときに、表示部材５が外殻部２の先端面４から突出し、図４（ｂ）に示すように、サムターン２１を回して解錠したときに、表示部材５が外殻部２の先端面４から没するようになっている。
また、図４（ａ）に示す施錠状態において、非常時に表示部材５を軸回りに回転させることによって、回転軸１３が回転し、回転軸１３が回転することによって、連結軸２３が回転して回転軸２２が回転し、図４（ｂ）に示すように、サムターン２１が解錠方向に回転するようになっている。
【００３２】
施錠状態のときは、図４（ａ）に示すように、錠装置２５のデッドボルト２６がドア６の側端面から突出して、図示しないストライクに嵌まり込んで、ドア６を施錠状態としており、解錠状態のときは、図４（ｂ）に示すように、錠装置２５のデッドボルト２６がドア６の側端面とほぼ面一となって、図示しないストライクから外れて、ドア６を解錠状態としている。
錠装置２５は、図５に示すように、ケース２７と、このケース２７に、その先端面から出没可能に挿入された前記デッドボルト２６とを備えている。デッドボルト２６の基端部にはスライド部材２８が連結されており、このスライド部材２８は前後（図５において左右）にスライド可能に設けられており、このスライド部材２８の後端部には、開口部２８ａが形成されている。
【００３３】
また、ケース２７内には、回動アーム２９が配置されており、この回動アーム２９の基端部には正方形状の軸穴２９ａが形成されている。そして、この軸穴２９ａに、前記連結軸２３が挿通嵌合されている。したがって、回動アーム２９は連結軸２３が軸回りに回転することによって、該連結軸２３を支点として前後（図５において左右）に回動するようになっている。
回動アーム２９の先端部はスライド部材２８の開口部２８ａに挿入されている。したがって、図５（ａ）に示すように、スライド部材２８は、回動アーム２９が前方（図５において左方）に回動することによって前方にスライドし、これによって、デッドボルト２６がケース２７の先端部から突出するようになっている。また、図５（ｂ）に示すように、スライド部材２８は、回動アーム２９が後方（図５において右方）に回動することによって後方にスライドし、これによって、デッドボルト２６がケース２７の先端面とほぼ面一になるようになっている。
【００３４】
また、回動アーム２９の基端部には、ストッパ部材３０が設けられており、このストッパ部材３０は互いに直交する二つのストッパ面３０ａ，３０ｂを有している。
一方、ケース２７の下面には、板ばね３１の基端部が固定されており、この板ばね３１はストッパ部材３０の下方に配置されている。
そして、図５（ａ）に示すように、回動アーム２９が前方に回動して、デッドボルト２６がケース２７の先端面から突出しているときに、ストッパ部材３０のストッパ面３０ａが板ばね３１に当接し、これによって、デッドボルト２６の突出状態（施錠状態）を保持するようになっている。
つまり、図４（ａ）に示すように、サムターン２１を施錠側に回すと、連結軸２３が回転して、回動アーム２９が前方に回動し、これによって、デッドボルト２６がケース２７の先端面から突出して施錠状態となるとともに、表示部材５が外殻部２の先端面４から突出するようになっている。
このとき、図３（ａ）に示すように、表示部材５の先端面５ａに形成されている凹溝５ｂはほぼ水平となっている。
【００３５】
また、図５（ａ）に示す状態から、回動アーム２９が後方に回動すると、ストッパ部材３０が板ばね３１を、その弾性復帰力に抗して押圧して、下方に撓ませ、図５（ｂ）に示すように、回動アーム２９が後方に回動して、デッドボルト２６がケース２７の先端面とほぼ面一になっているときに、ストッパ部材３０のストッパ面３０ｂが板ばね３１に当接し、これによって、デッドボルト２６の面一状態（解錠状態）を保持するようになっている。
つまり、図４（ｂ）に示すように、サムターン２１を解錠側に回すと、連結軸２３が回転して、回動アーム２９が後方に回動し、これによって、デッドボルト２６がケース２７の先端面とほぼ面一になって解錠状態となるとともに、表示部材５が外殻部２の先端面４から没するようになっている。
このとき、図３（ｂ）に示すように、表示部材５の先端面５ａに形成されている凹溝５ｂはほぼ鉛直となっている。
【００３６】
本実施の形態によれば、表示部材５が外殻部２の先端面４から突出することによって、ドア６の施錠状態を表示でき、表示部材５が外殻部２の先端面から没することによって、ドア６の解錠状態を表示できるので、ドア６の施解錠状態を確実に表示できる
また、ドア６の施錠状態において非常時には、突出している表示部材５を軸回りに回転させることによって、ドア６を外側から解錠できる。
さらに、施錠状態において表示部材５が外殻部２の先端面４から突出しているが、この表示部材５の外周面に黄色が施されているので、突出した表示部材５の外周面の黄色が目立ち、よって、施錠状態を確実に確認できる。
【００３７】
また、表示部材５の先端面５ａに、該表示部材５の回転中心を通り、かつ端部が表示部材５の外周面に開口する凹溝５ｂが設けられているので、非常時に、突出している表示部材５を軸回りに回転させることによって、ドア６を外側から解錠する際に、前記凹溝５ｂに、コインやドライバ、その他板状部材等を係合して回すことによって、表示部材５を容易に回転させることができる。
また、ドアの解錠状態においては、表示部材５の凹溝５ｂが上下に向いているので、この凹溝５ｂの一方の面５ｃに施された緑または青色を容易に視認できる。一方、ドア６の施錠状態においては、表示部材５が回転しながら突出して凹溝５ｂの一方の面５ｃが上に位置するので、この面５ｃに施された緑または青色が見え難くなるとともに、表示部材５が突出するので、施錠状態であることを確実に確認できる。
さらに、外殻部２に設けられた孔３の先端部内周面に、緑または青色が施されており、解錠状態のとき、表示部材５が外殻部２の先端面４より深い位置まで没しているので、前記孔３の先端部内周面に施された緑または青色を視認できる。したがって、解錠状態であることを容易に確認できる。
【００３８】
なお、本実施の形態では、表示部材５の先端部外周面に黄色を施したが、これに代えてあるいはこれに加えて、表示部材５の先端部外周面を発光可能に構成してもよい。
ここで、表示部材５の先端部外周面を発光可能とするには、例えば、表示部材５の先端部外周面に蓄光テープを貼り付けたり、図６に示すように、表示部材５の先端部外周面に取付溝５ｄを形成して、この取付溝５ｄにＬＥＤ（発光ダイオード）３５や豆電球を挿入してもよい。
また、本実施の形態では、表示部材５の先端部外周面に黄色を施したが、これに代えてあるいはこれに加えて、図７に示すように、表示部材５の先端部外周面に、滑り止め用の凹凸５ｅを形成してもよい。この場合、表示部材５の先端面５ａの凹溝５ｂは形成してもよいし、形成しなくてもよい。
【符号の説明】
【００３９】
１  ドア施解錠表示装置
２  外殻部
３  孔
４  先端面
５  表示部材
５ａ  先端面
５ｂ  凹溝
５ｃ  一方の面
６  ドア
２１  サムターン
３５  ＬＥＤ
【図１】
0005592099.tif 000002
【図２】
0005592099.tif 000003
【図３】
0005592099.tif 000004
【図４】
0005592099.tif 000005
【図５】
0005592099.tif 000006
【図６】
0005592099.tif 000007
【図７】
0005592099.tif 000008